(57)【特許請求の範囲】
【請求項１】
画像形成装置本体と、該本体の前面に開口するよう配設された用紙排出口と、該用紙排出口よりも下方位置における該本体の前面に開口するバイパス給紙口と、バイパス給紙口に用紙を挿入するためのバイパステーブルと、バイパステーブルの前側下方に上端部開口が配置されかつ上端部開口から実質的に下方に延在して、用紙排出口から排出される用紙を上端部開口から導入して収容する排出トレイとを備え、バイパステーブルは、用紙排出口が開口する該本体の前面よりも前方に突出せしめられている画像形成装置において、
該本体の前面における、用紙排出口の下側であってバイパス給紙口の上側には、少なくとも１個のガイド部材が該本体の前面から前方に向かって突出するよう配設され、ガイド部材は、バイパステーブルの上方に間隔をおいた位置において、少なくとも、バイパステーブルの突出方向の先端位置と同じ突出方向位置まで突出せしめられると共に、該本体の前面から前方に向かって下方に傾斜する傾斜ガイド上面を備え、
ガイド部材は、透明な又は半透明な合成樹脂から形成されている、
ことを特徴とする画像形成装置。
【発明の詳細な説明】
【０００１】
【発明が属する技術分野】
本発明は、例えば、静電複写機、レーザプリンタ、ファクシミリ等の画像形成装置、特にＪＩＳのＡ０あるいはＡ１といった大サイズの用紙に画像を形成することができる幅広の画像形成装置に関する。
【０００２】
【従来の技術】
画像形成装置、例えば、ＪＩＳのＡ０あるいはＡ１といった大サイズの用紙に画像を形成することができる幅広の静電複写機において、複写機本体の上端面には原稿搬送路が形成され、原稿搬送路には原稿搬送装置が備えられている。原稿搬送路の上流端部には、原稿載置テーブルが複写機本体から複写機本体の前方に張り出している。原稿搬送装置の上流端部には原稿挿入口が原稿搬送路と協働して形成されている。複写機本体内の上端部には密着型イメージセンサが配設されている。複写機本体内の上方位置には感光体ドラムなどを含む画像形成手段が配設されている。複写機本体内の下方位置には、給紙ローラ等を含む用紙収容部、用紙収容部に収容された用紙を画像形成手段の転写域に搬送するための用紙搬送路が配設されている。この用紙搬送路には、用紙収容部において給紙ローラに巻き掛けられた用紙を、用紙搬送路を通して搬送するための各種搬送ローラ対、該用紙を適宜の長さに切断するためのカッタ機構等が備えられている。画像形成手段に含まれる転写装置の下流側には、転写装置によってトナー画像が転写された用紙を搬送するための用紙搬送路が備えられている。この用紙搬送路には定着装置が配設され、定着装置の下流側には排出ローラ対が備えられている。
【０００３】
排出ローラ対の下流側には、用紙排出口が複写機本体の前面に開口するよう配設されている。転写装置から排出ローラ対に向かって延在する上記用紙搬送路の下方位置には、バイパス給紙路が配設されている。バイパス給紙路の上流端は、複写機本体の前面であって、用紙排出口よりも下方位置に開口せしめられたバイパス給紙口に接続され、バイパス給紙路の下流端は、上記用紙搬送路の、転写装置よりも上流側に接続されている。複写機本体の前面には、バイパス給紙口に用紙を挿入するためのバイパステーブルと、バイパステーブルの前側下方に上端部開口が配置されかつ上端部開口から実質的に下方に延在して、用紙排出口から排出される用紙を上端部開口から導入して収容する排出トレイとが備えられている。バイパステーブルは、用紙排出口が開口する複写機本体の前面よりも前方に突出せしめられている。
【０００４】
原稿挿入口から原稿搬送装置内に挿入された原稿は、原稿搬送装置により原稿搬送路を下流方向に搬送される。原稿搬送路を搬送される原稿の画像は、密着型イメージセンサによって読み取られる。密着型イメージセンサによって読み取られた画像は、画像形成手段においてトナー画像化された後、転写装置によって、用紙収容部から搬送された用紙に転写される。用紙に転写されて担持されたトナー画像は定着装置において定着され、トナー画像が定着された用紙は、排出ローラ対によって用紙排出口を通して排出トレイに排出される。なお、用紙収容部から搬送される用紙はカッタ機構により適宜のタイミングで所定の長さに切断される。概ね以上のとおりにして原稿読取装置を備えた複写機による原稿の画像読取及び複写動作が遂行され、原稿の画像が記録された複写物が生成される。他方、バイパステーブルを利用してバイパス給紙口からバイパス給紙路に用紙を手差しにより挿入することにより、原稿搬送路を搬送される原稿の画像を適宜のタイミングにより該用紙に記録することも可能である。
【０００５】
【発明が解決しようとする課題】
上記形態の複写機において、バイパステーブルからバイパス給紙口に用紙を手差しにより挿入し易くするためには、可能な限りバイパステーブルを複写機本体の前面から前方に突出させることが好ましい。しかしながら、バイパステーブルの上記突出量を大きくすると、その上方に配置された用紙排出口から排出される用紙の先端がバイパステーブルに当接せしめられ、バイパステーブルからバイパス給紙口に進入され易くなる。用紙排出口から排出された用紙がバイパステーブルからバイパス給紙口に進入させられると、該用紙が再給紙されるおそれがあり、またバイパス給紙口あるいは排出トレイの上端部開口を塞いだりするおそれがある。特に、用紙排出口から排出される用紙の先端のカール（用紙排出口から排出された状態で複写機本体の前面に向かって彎曲するカール）が大きい場合には、上記傾向が更に強くなる。また、上記した如くバイパステーブルの上記突出量を大きくすることは、複写機が大型化されるのでスペース上不利となり、コストもアップする。
【０００６】
本発明の目的は、用紙排出口から排出された用紙がバイパステーブルからバイパス給紙口に進入させられるのを確実に防止することを可能にする、新規な画像形成装置を提供することである。
【０００７】
本発明の他の目的は、用紙排出口から排出された用紙がバイパステーブルからバイパス給紙口に進入させられるのを確実に防止し、しかもバイパステーブルの、画像形成装置本体の前面からの突出量を少なくすることを可能にする、新規な画像形成装置を提供することである。
【０００８】
【課題を解決するための手段】
本発明によれば、画像形成装置本体と、該本体の前面に開口するよう配設された用紙排出口と、該用紙排出口よりも下方位置における該本体の前面に開口するバイパス給紙口と、バイパス給紙口に用紙を挿入するためのバイパステーブルと、バイパステーブルの前側下方に上端部開口が配置されかつ上端部開口から実質的に下方に延在して、用紙排出口から排出される用紙を上端部開口から導入して収容する排出トレイとを備え、バイパステーブルは、用紙排出口が開口する該本体の前面よりも前方に突出せしめられている画像形成装置において、
該本体の前面における、用紙排出口の下側であってバイパス給紙口の上側には、少なくとも１個のガイド部材が該本体の前面から前方に向かって突出するよう配設され、ガイド部材は、バイパステーブルの上方に間隔をおいた位置において、少なくとも、バイパステーブルの突出方向の先端位置と同じ突出方向位置まで突出せしめられると共に、該本体の前面から前方に向かって下方に傾斜する傾斜ガイド上面を備え、
ガイド部材は、透明な又は半透明な合成樹脂から形成されている、
ことを特徴とする画像形成装置、が提供される。
【０００９】
【発明の実施の形態】
以下、本発明に従って構成された、画像形成装置である複写機の実施形態を添付図面を参照して詳細に説明する。
【００１０】
図１を参照して、全体を番号１００で示す複写機は、ほぼ直方体をなす複写機本体１０２を備えている。複写機本体１０２の上端面には原稿搬送路１０３Ａが形成され、原稿搬送路１０３Ａには原稿搬送装置１０３が備えられている。原稿搬送路１０３Ａの上流端部（図１において右方端部）には、原稿載置テーブル１０が複写機本体１０２から張り出している。原稿搬送装置１０３の上流端部には原稿挿入口１０５が原稿搬送路１０３Ａと協働して形成されている。原稿搬送装置１０３には、原稿搬送路１０３Ａの上流から下流に向かって、搬入ローラ対１０３ａ、原稿押さえローラ１０３ｂ及び排出ローラ対１０３ｃが、この順に配設されている。複写機本体１０２内の上端部であって、原稿押さえローラ１０３ｂの直下方位置には、撮像デバイス、実施形態においては密着型イメージセンサ１０４が配設されている。
【００１１】
密着型イメージセンサ１０４の下方には、画像形成手段（作像手段）１０６が配設されている。画像形成手段１０６は、感光体ドラム１０８を備えている。感光体ドラム１０８は、図示しない駆動手段によって図１において反時計方向に回転駆動される。感光体ドラム１０８の周囲には、感光体ドラム１０８の表面を一様に帯電させるメインチャージャ１１０、密着型イメージセンサ１０４によって読み取られて出力される（光電変換されて出力される）原稿の画像の電気信号を、光に変換して感光体ドラム１０８の表面に照射して静電潜像化するためのデバイス、実施形態においてはＬＥＤプリントヘッド１１２、感光体ドラム１０８の表面に形成された静電潜像をトナー画像に現像するための現像装置１１４、感光体ドラム１０８の表面に形成されたトナー画像を普通紙等の用紙に転写するための転写装置１１６、感光体ドラム１０８の表面に残留するトナーを払拭して回収するためのクリーニング装置１１８などが配設されている。感光体ドラム１０８及び感光体ドラム１０８の周囲に配設された、メインチャージャ１１０、ＬＥＤプリントヘッド１１２及び現像装置１１４などは、画像形成手段１０６を構成する。原稿載置テーブル１０、原稿搬送路１０３Ａ、原稿搬送装置１０３及び密着型イメージセンサ１０４などは複写機１００に備えられた原稿読取装置を構成する。
【００１２】
複写機本体１０２内の下方位置には、給紙ローラ等を含む用紙収容部１２０、用紙収容部１２０に収容された用紙を画像形成手段１０６の転写域に搬送するための用紙搬送路１２２が配設されている。用紙搬送路１２２はほぼ上下方向に延在する。用紙搬送路１２２には、用紙収容部１２０において給紙ローラに巻き掛けられた用紙を用紙搬送路１２２に送る図示しない給紙ローラ、用紙搬送路１２２に給紙された用紙を用紙搬送路１２２を通して搬送するための各種搬送ローラ対１２２ａ、１２２ｂ及び１２２ｃ、該用紙を適宜の長さに切断するためのカッタ機構１２３等が備えられている。転写装置１１６の下流側、したがって感光体ドラム１０８の下流側には、転写装置１１６によってトナー画像が転写された用紙を搬送するための用紙搬送路１２４が備えられている。用紙搬送路１２４は、感光体ドラム１０８の下流側から複写機本体１０２の前面１０２ａに向かってほぼ水平に延在せしめられている。用紙搬送路１２４の下流位置には定着装置１２６が配設され、定着装置１２６の下流側には排出ローラ対１２８が備えられている。
【００１３】
図１及び図２を参照して、排出ローラ対１２８の下流側には、用紙排出口１３０が複写機本体１０２の前面１０２ａに開口するよう配設されている。なお、以下の記載において、複写機１００ないし複写機本体１０２の前方とは、図１及び図２において右方を示し、また幅方向とは、図１及び図２において紙面の表裏方向を示すものである。複写機本体１０２内には、上記用紙搬送路１２４の下方に間隔をおいてほぼ水平方向に延在するバイパス給紙路１４０が配設されている。バイパス給紙路１４０の上流端は、複写機本体１０２の前面１０２ａであって、用紙排出口１３０よりも下方位置に開口せしめられたバイパス給紙口１４２に接続され、バイパス給紙路１４０の下流端は、上記用紙搬送路１２２の、転写装置１１６よりも若干上流側に接続されている。バイパス給紙路１４０には、図示しない摩擦板が当接される分離ローラ１４４及びレジストローラ対１４６などが配設されている。バイパステーブル１５０は、用紙排出口１３０が開口する複写機本体１０２の前面１０２ａよりも前方に突出せしめられている。
【００１４】
複写機本体１０２の前面１０２ａには、バイパス給紙口１４２に用紙を挿入するためのバイパステーブル１５０と排出トレイ（ポケット）１６０が備えられている。排出トレイ１６０は、バイパステーブル１５０の前側下方に上端部開口１６２が配置されかつ上端部開口１６２から実質的に下方に延在して、用紙排出口１３０から排出される用紙を上端部開口１６２から導入して実質的に上下方向に収容することができる。排出トレイ１６０の上端部開口１６２は、複写機本体１０２を幅方向に見て、バイパステーブル１５０の突出端から複写機本体１０２の前方に向かって下方にほぼ直線状に延びる上端部傾斜面１６２ａと、上端部傾斜面１６２ａに対し前方に間隔をおいて対向するよう配置されかつ上端から前方に向かって下方に湾曲する上端部湾曲面１６２ｂとを備えている。排出トレイ１６０は、更に、上端部傾斜面１６２ａの下端から複写機本体１０２に向かって下方にほぼ直線状に延びる傾斜面１６３と、傾斜面１６３の下端からほぼ鉛直下方に直線状に延びる鉛直面１６４と、上端部湾曲面１６２ｂの下端から複写機本体１０２に向かって下方にきわめてゆるやかに彎曲しながら、傾斜面１６３及び鉛直面１６４の上端部領域に対し間隔をおいて対向して延びる湾曲面１６５と、湾曲面１６５の下端から鉛直面１６４に間隔をおいて平行に下方に延びる鉛直面１６６と、鉛直面１６４及び１６６の下端を閉塞する底面１６７とを備えている。これらの各面により排出トレイ１６０における用紙の収容空間１６８が形成される。この収容空間１６８の上記幅方向両端の少なくとも下方領域、実施形態においては、ほぼ鉛直面１６４及び１６６が存在する領域は、図示しない側壁部材により覆われている。排出トレイ１６０の上端部開口１６２、すなわち排出トレイ１６０の収容空間１６８の上端部開口１６２を形成する、上端部傾斜面１６２ａと上端部湾曲面１６２ｂとは、上記幅方向に見て、複写機本体１０２の前面１０２ａから離れる方向に下から上に向かって相互の間隔が拡大される、いわゆるフレア形状をなしている。なお、排出トレイ１６０には、収容空間１６８の底面１６７の高さを実質的に調整しうる図示しない適宜のストッパ部材が、排出トレイ１６０の前面から操作しうるよう配設されている。このストッパ部材により、用紙のサイズに対応して用紙の先端（下端）の高さを調整することができる。
【００１５】
図２及び図３を参照して、本発明による複写機１００においては、複写機本体１０２の前面１０２ａにおける、用紙排出口１３０の下側であってバイパス給紙口１４０の上側には、少なくとも１個のガイド部材１７０が、複写機本体１０２の前面１０２ａから前方に向かって突出するよう配設されている。図示はされていないが、実施形態において、ガイド部材１７０は、複写機本体１０２の幅方向に間隔をおいて３個のガイド部材１７０が配設されている。相互に実質的に同じ大きさ及び形状を有するガイド部材１７０は、図３に示されているように、縦長の矩形状をなす平板部１７２と、平板部１７２の一側から垂下する板状の取付フランジ部１７４と、平板部１７２の上面（取付フランジ部１７４が垂下する方向とは逆方向に面した上面）に、平板部１７２の長手方向に間隔をおいて平行に直立させられた複数のガイド板部１７６とからなる。取付フランジ部１７４には、その長手方向に間隔をおいて複数の図示しない取付孔が形成されている。相互に実質的に同じ大きさ及び形状を有するガイド板部１７６の各々は、平板部１７２の一側から、取付フランジ部１７４と反対方向に直立する直立面１７６ａと、直立面１７６ａの上端から平板部１７２の他側の上面に向かって直線状に傾斜して延びる傾斜ガイド上面１７６ｂを有している。したがって、ガイド板部１７６の各々は、ガイド部材１７０の長手方向に見て直角三角形をなしている。ガイド部材１７０の各々は、適宜の合成樹脂、例えばＡＢＳから一体に形成することができ、そしてガイド部材１７０の各々を形成する合成樹脂は、透明又は半透明であることが好ましい。また、ガイド部材１７０の各々の全ての角部は曲面から形成されることが好ましい。
【００１６】
上記の如く構成されたガイド部材１７０の各々は、複写機本体１０２の前面１０２ａにおける、用紙排出口１３０の下側であってバイパス給紙口１４０の上側に、各々の取付フランジ部１７４が当接され、取付孔の各々を介して図示しないビスにより離脱自在に締結されることにより、該前面１０２ａに取り付けられる。上記したとおりにして、ガイド部材１７０の各々は、複写機本体１０２の該前面１０２ａから前方に向かって突出するよう配設される。この取付状態において、ガイド部材１７０の各々は、バイパステーブル１５０の上方に間隔をおいた位置において、少なくとも、バイパステーブル１５０の突出方向の先端位置と同じ突出方向位置まで突出せしめられる。実施形態においては、ガイド部材１７０の各々の先端位置は、バイパステーブル１５０の突出方向の先端位置よりもわずかに前方に突出した位置に位置付けられている。ガイド部材１７０の各々における傾斜ガイド上面１７６ｂの各々は、用紙排出口１３０の下側において、複写機本体１０２の前面１０２ａから前方に向かって下方に傾斜するよう位置付けられる。ガイド部材１７０の各々における傾斜ガイド上面１７６ｂの各々の傾斜方向（複写機本体１０２の前面１０２ａから前方に向かう傾斜方向）は、排出トレイ１６０の上端部開口１６２に向けられるのではなく、排出トレイ１６０の上端部開口１６２よりも高い位置に向けられている。
【００１７】
図１及び図２を参照して、上記した如く構成された複写機１００において、原稿挿入口１０５から原稿搬送装置１０３内に挿入された原稿は、搬入ローラ対１０３ａ、原稿押さえローラ１０３ｂ及び排出ローラ対１０３ｃにより下流方向に搬送される。原稿搬送路１０３Ａを搬送される原稿の画像は、密着型イメージセンサ１０４によって読み取られる。密着型イメージセンサ１０４によって読み取られた画像は、画像形成手段１０６においてトナー画像化された後、転写装置１１６によって、用紙収容部１２０から搬送された用紙に転写される。用紙に転写されて担持されたトナー画像は定着装置１２６において定着され、トナー画像が定着された用紙は、排出ローラ対１２８により用紙排出口１３０から排出され、更に排出トレイ１６０の上端部開口１６２を通して排出トレイ１６０内に排出される。なお、用紙収容部１２０から搬送される用紙は、カッタ機構１２３により適宜のタイミングで所定の長さに切断される。概ね以上のとおりにして原稿読取装置を備えた複写機１００による原稿の画像読取及び複写動作が遂行され、原稿の画像が記録された複写物が生成される。また、バイパステーブル１５０を利用してバイパス給紙口１４２からバイパス給紙路１４０に用紙を手差しにより挿入することにより、原稿搬送路１０３Ａを搬送される原稿の画像を適宜のタイミングにより該用紙に記録することも可能である。バイパステーブル１５０に沿ってバイパス給紙口１４２からバイパス給紙路１４０に用紙を手差しにより挿入するに際し、ガイド部材１７０の各々を透明又は半透明である合成樹脂により形成した場合には、バイパステーブル１５０の上面に対する視界は十分に確保されるので、手差し操作を容易に行なうことができ、斜め給紙や用紙の位置ずれなどを確実に防止することができる。
【００１８】
本発明による複写機１００においては、上記したように、複写機本体１０２の前面１０２ａにおける、用紙排出口１３０の下側であってバイパス給紙口１４０の上側には、３個のガイド部材１７０が複写機本体１０２の前面１０２ａから前方に向かって突出するよう相互に同じ高さ位置に配設され、ガイド部材１７０の各々は、バイパステーブル１５０の上方に間隔をおいた位置において、少なくとも、バイパステーブル１５０の突出方向の先端位置と同じ突出方向位置まで突出せしめられると共に、複写機本体１０２の前面１０２ａから前方に向かって下方に傾斜する傾斜ガイド上面１７６ｂを備えているので、排出ローラ対１２８により用紙排出口１３０を通して排出される用紙Ｐの先端部は、先ず、ガイド部材１７０の各々の傾斜ガイド上面１７６ｂに沿って複写機本体１０２の前面１０２ａから前方に向かって下方に導かれる。そして、該用紙Ｐの先端がガイド部材１７０の各々の傾斜ガイド上面１７６ｂを通過した後は、自重により下方に向かって排出トレイ１６０における上端部開口１６２に指向され（図２において実線で示す用紙Ｐ及び実線で示す矢印Ａ参照）、上端部開口１６２から収容空間１６８内に上方から下方に向かって導入せしめられる。そして、該用紙Ｐの先端が収容空間１６８内の底壁１６７に達しかつ該用紙Ｐの後端部が排出ローラ対１２８を通過した後には、該用紙Ｐの後端部は、ガイド部材１７０の各々の先端のほぼ直下に存在する、排出トレイ１６０の上端部開口１６２に落下せず、ガイド部材１７０の各々の傾斜ガイド上面１７６ｂに沿って複写機本体１０２の前面１０２ａから前方に向かって押し出されるよう指向される（図２において２点鎖線で示す用紙Ｐ及び２点鎖線で示す矢印Ｂ参照）。
【００１９】
上記作用の結果、用紙排出口１３０から排出された用紙Ｐが、複写機本体１０２の前面１０２ａから前方に突出したバイパステーブル１５０からバイパス給紙口１４２に進入させられることは確実に防止されるので、該用紙Ｐが再給紙されるおそれがなくなる。また該用紙Ｐの後端部が用紙排出口１３０に残されることもなく、バイパス給紙口１４２あるいは排出トレイ１６０の上端部開口１６２を塞いだりするおそれも解消される。特に、用紙排出口１３０から排出される用紙Ｐの先端のカール（用紙排出口１３０から排出された状態で複写機本体１０２の前面１０２ａに向かって彎曲するカール）が大きい場合であっても、上記不具合は確実に解消される。また、上記した如くガイド部材１７０を配設することにより、バイパステーブル１５０の、複写機本体１０２の前面１０２ａからの突出量を少なくできるので、複写機１００をコンパクトにすることができ、スペース上有利であり、コストも低減できる。
【００２０】
上記複写機１００において、ガイド部材１７０の各々の傾斜ガイド上面１７６ｂの傾斜方向は、排出トレイ１６０の上端部開口１６２よりも高い位置に向けられているので、該用紙Ｐの後端部が排出ローラ対１２８を通過した後に、該用紙Ｐの後端部を、排出トレイ１６０の上端部開口１６２に落下させず、ガイド部材１７０の各々の傾斜ガイド上面１７６ｂに沿って複写機本体１０２の前面１０２ａから前方に向かって押し出すよう指向せしめる機能が強化され、該用紙Ｐの後端部が用紙排出口１３０に残されることもなく、バイパス給紙口１４２あるいは排出トレイ１６０の上端部開口１６２を塞いだりするおそれも解消される、との効果は一層促進される。また、用紙排出口１３０から排出された用紙Ｐが、複写機本体１０２の前面１０２ａから前方に突出したバイパステーブル１５０からバイパス給紙口１４２に進入させられることも、一層確実に防止されることはいうまでもない。
【００２１】
本発明による上記実施形態において、ガイド部材１７０は３個配設されているが、１個又は２個、あるいは４個以上であってもよい。また、上記実施形態において、ガイド部材１７０は透明又は半透明の合成樹脂により形成されているが、金属板により形成することもできる。例えば、ガイド部材１７０を、ガイド部材１７０の取付フランジ部１７４に相当する取付フランジ部と、取付フランジ部の上端から前方に向かって下方に直線状に延びる傾斜部とにより、一体に板金加工により形成することは容易に可能である。傾斜部の上面は傾斜ガイド上面を規定する。そして、この傾斜部に、スリットなど、適宜の開口部を形成することにより、複写機本体１０２の前部１０２ａに装着した状態でも、バイパステーブル１５０の上面を見易くすることが可能になる。
【００２２】
【発明の効果】
本発明による画像形成装置によれば、用紙排出口から排出された用紙がバイパステーブルからバイパス給紙口に進入させられるのを確実に防止することを可能にする。また、用紙排出口から排出された用紙がバイパステーブルからバイパス給紙口に進入させられるのを確実に防止し、しかもバイパステーブルの、画像形成装置本体の前面からの突出量を少なくすることを可能にする。
【図面の簡単な説明】
【図１】本発明による静電複写機の実施形態の構成を示す断面概略図。
【図２】図１に示す複写機の要部を拡大して更に詳細に示す断面概略図。
【図３】図２に示す複写機に備えられた排出ガイド部材の斜視図。
【符号の説明】
１００  複写機
１０２  複写機本体
１０２ａ  複写機本体の前面
１３０  用紙排出口
１４２  バイパス給紙口
１５０  バイパステーブル
１６０  排出トレイ
１６２  排出トレイの上端部開口
１７０  ガイド部材
１７６ｂ  傾斜ガイド上面
【図１】
0003764106.tif 000002
【図２】
0003764106.tif 000003
【図３】
0003764106.tif 000004